(57)【要約】【課題】表示特性を改善できる反射型表示装置を提供する。【解決手段】反射型表示装置１００は、透明基板１０と、透明基板上に設けられ、各々が隔壁２１により形成された複数の画素３０，４０，５０と、各画素に封入され、電圧変化に応じて、隔壁に寄った状態と、画素内に広がる状態との何れかをとることが可能な着色オイル２４と、各画素に対応する透明基板の内面に設けられ、着色オイルが隔壁に寄った際に着色オイルを隠す遮光層１１と、を備える。【選択図】図１
2016126214.tif 000002
【特許請求の範囲】
【請求項１】
透明基板と、
前記透明基板上に設けられ、各々が隔壁により形成された複数の画素と、
前記各画素に封入され、電圧変化に応じて、前記隔壁に寄った状態と、前記画素内に広がる状態との何れかをとることが可能な着色オイルと、
前記各画素に対応する前記透明基板の内面に設けられ、前記着色オイルが前記隔壁に寄った際に前記着色オイルを隠す遮光層と、を備えることを特徴とする反射型表示装置。
【請求項２】
前記透明基板上の前記各画素に対応する位置に設けられた拡散層を備える、ことを特徴とする請求項１に記載の反射型表示装置。
【請求項３】
前記拡散層は、前記透明基板及び前記遮光層を覆っている、ことを特徴とする請求項２に記載の反射型表示装置。
【請求項４】
前記透明基板と前記隔壁との間に設けられたフォトスペーサーを備える、ことを特徴とする請求項１から請求項３の何れかに記載の反射型表示装置。
【請求項５】
前記透明基板上の前記各画素に対応する位置に設けられた着色層を備える、ことを特徴とする請求項１から請求項４の何れかに記載の反射型表示装置。
【請求項６】
前記遮光層は、積層された複数色の着色層からなる、ことを特徴とする請求項５に記載の反射型表示装置。
【請求項７】
前記透明基板上に設けられた透明電極を備える、ことを特徴とする請求項１から請求項６の何れかに記載の反射型表示装置。
【請求項８】
各々が隔壁により形成された複数の画素と、前記各画素に封入され、電圧変化に応じて、前記隔壁に寄った状態と前記画素内に広がる状態との何れかをとることが可能な着色オイルと、を備えた反射型表示装置用の前面板であって、
前記複数の画素が設けられる透明基板と、
前記各画素に対応する前記透明基板の内面に設けられ、前記着色オイルが前記隔壁に寄った際、前記着色オイルを隠す遮光層と、を備えることを特徴とする反射型表示装置用の前面板。
【発明の詳細な説明】
【技術分野】
【０００１】
本発明は、エレクトロウェッティング方式の反射型表示装置及び反射型表示装置用の前面板に関する。
【背景技術】
【０００２】
近年、フラットタイプの反射型表示装置を備える電子ペーパーの開発が進められている。反射型表示装置は、周囲の光（以下、「環境光」とも言う）の反射光を制御することで、文字や画像等を表示する。このような反射型表示装置は、低消費電力である、目が疲れない、及び、直射日光下での視認性が良い等の優れた特性を有する。
【０００３】
反射型表示装置の表示方式の一例として、エレクトロウェッティング方式が知られている（例えば、特許文献１参照）。図１２は、従来の反射型表示装置の概略構成を示す縦断面図である。図１３（ａ），（ｂ）は、図１２の反射型表示装置を観察者側から見た平面図である。図１２の断面図は、図１３（ａ），（ｂ）のＢ−Ｂ断面に対応する。
【０００４】
図１２及び図１３（ａ），（ｂ）に示すように、この反射型表示装置は、マトリクス状に配列された複数の画素３０，４０，５０を備える。画素３０は、赤色に着色された着色オイル２４を有し、画素４０は、緑色に着色された着色オイル２４を有し、画素５０は、青色に着色された着色オイル２４を有している。各画素３０，４０，５０は、透明な親水性液体２５も有している。
【０００５】
疎水性絶縁層２３上の着色オイル２４は、透明電極２２に印加される電圧に応じて、隔壁２１に寄った状態と、画素３０，４０，５０内に広がる状態との何れかをとる。反射型表示装置は、着色オイル２４が隔壁に寄った状態で環境光Ｌ１０を白色基板２０で反射させ、白表示を行い、着色オイル２４が画素３０，４０，５０内に広がった状態で環境光Ｌ１０を着色オイル２４で反射させ、着色オイル２４の色に応じた表示を行う。従って、画素３０，４０，５０毎に電圧を印加するか否か制御することにより、文字や画像等をカラー表示できる。
【先行技術文献】
【特許文献】
【０００６】
【特許文献１】特開２０１４−１７８６４６号公報
【発明の概要】
【発明が解決しようとする課題】
【０００７】
ここで、図１３（ｂ）に示すように、例えば、赤色の画素３０が赤表示され、この赤色の画素３０の周囲の緑色の画素４０及び青色の画素５０が白表示されている場合を考える。この場合、緑色の画素４０及び青色の画素５０においては、緑色及び青色の着色オイル２４が隔壁２１に寄った状態になっているため、緑色の画素４０及び青色の画素５０内の着色オイル２４以外の大部分の領域Ｒ１は白色に視認される。
【０００８】
しかしながら、図１２に示すように、隔壁２１に寄った緑色及び青色の着色オイル２４でも環境光Ｌ２０が反射されるため、赤色の画素３０の周囲に、緑色又は青色の複数の微小な点が視認されることになる。従って、赤色の画素３０のエッジが惚ける（霞む）ように視認されてしまう。他の色に関しても同様であり、エッジが惚けるように視認されてしまう。
【０００９】
本発明は、このような点を考慮してなされたものであり、表示特性を改善できる反射型表示装置及び反射型表示装置用の前面板を提供することを目的とする。
【課題を解決するための手段】
【００１０】
本発明の一実施形態に係る反射型表示装置は、
透明基板と、
前記透明基板上に設けられ、各々が隔壁により形成された複数の画素と、
前記各画素に封入され、電圧変化に応じて、前記隔壁に寄った状態と、前記画素内に広がる状態との何れかをとることが可能な着色オイルと、
前記各画素に対応する前記透明基板の内面に設けられ、前記着色オイルが前記隔壁に寄った際に前記着色オイルを隠す遮光層と、を備えることを特徴とする。
【００１１】
上記反射型表示装置において、
前記透明基板上の前記各画素に対応する位置に設けられた拡散層を備えてもよい。
【００１２】
上記反射型表示装置において、
前記拡散層は、前記透明基板及び前記遮光層を覆っていてもよい。
【００１３】
上記反射型表示装置において、
前記透明基板と前記隔壁との間に設けられたフォトスペーサーを備えてもよい。
【００１４】
上記反射型表示装置において、
前記透明基板上の前記各画素に対応する位置に設けられた着色層を備えてもよい。
【００１５】
上記反射型表示装置において、
前記遮光層は、積層された複数色の着色層からなってもよい。
【００１６】
上記反射型表示装置において、
前記透明基板上に設けられた透明電極を備えてもよい。
【００１７】
本発明の一実施形態に係る反射型表示装置用の前面板は、
各々が隔壁により形成された複数の画素と、
前記各画素に封入され、電圧変化に応じて、前記隔壁に寄った状態と、前記画素内に広がる状態との何れかをとることが可能な着色オイルと、を備えた反射型表示装置用の前面板であって、
前記複数の画素が設けられる透明基板と、
前記各画素に対応する前記透明基板の内面に設けられ、前記着色オイルが前記隔壁に寄った際、前記着色オイルを隠す遮光層と、を備えることを特徴とする。
【発明の効果】
【００１８】
本発明によれば、表示特性を改善できる。
【図面の簡単な説明】
【００１９】
【図１】第１の実施形態に係る反射型表示装置の概略構成を示す縦断面図である。
【図２】（ａ）は、図１の前面板のみを観察者側から見た平面図であり、（ｂ）は、反射型表示装置を観察者側から見た平面図である。
【図３】第１の実施形態の第１の変形例に係る反射型表示装置の上面図である。
【図４】第１の実施形態の第２の変形例に係る反射型表示装置の上面図である。
【図５】第１の実施形態の第３の変形例に係る反射型表示装置から前面板を取り除いた状態の上面図である。
【図６】第２の実施形態に係る反射型表示装置の概略構成を示す縦断面図である。
【図７】第３の実施形態に係る反射型表示装置の概略構成を示す縦断面図である。
【図８】（ａ）は、図７の前面板のみを観察者側から見た平面図であり、（ｂ）は、反射型表示装置を観察者側から見た平面図である。
【図９】第４の実施形態に係る反射型表示装置の概略構成を示す縦断面図である。
【図１０】第５の実施形態に係る反射型表示装置の概略構成を示す縦断面図である。
【図１１】第６の実施形態に係る反射型表示装置の概略構成を示す縦断面図である。
【図１２】従来の反射型表示装置の概略構成を示す縦断面図である。
【図１３】（ａ），（ｂ）は、図１２の反射型表示装置を観察者側から見た平面図である。
【発明を実施するための形態】
【００２０】
以下、図面を参照して本発明の実施の形態について説明する。なお、本明細書に添付する図面においては、図示と理解のしやすさの便宜上、適宜縮尺および縦横の寸法比等を、実物のそれらから変更し誇張してある。
【００２１】
（第１の実施形態）
図１，２を参照して、エレクトロウェッティング方式の反射型表示装置１００全体について説明する。この反射型表示装置１００を用いて、例えば、電子ペーパーを構成することができる。
【００２２】
図１は、第１の実施形態に係る反射型表示装置１００の概略構成を示す縦断面図である。図１に示すように、反射型表示装置１００は、透明基板１０と、遮光層１１と、白色基板２０と、隔壁２１と、複数の画素３０，４０，５０と、を備えている。このうち透明基板１０と遮光層１１は、反射型表示装置１００用の前面板８０を構成している。
【００２３】
図２（ａ）は、図１の前面板８０のみを観察者側から見た平面図である。図２（ｂ）は、反射型表示装置１００を観察者側から見た平面図である。図１の断面図は、図２（ａ），（ｂ）のＡ−Ａ断面に対応する。
【００２４】
透明基板１０は、最も観察者側（ｚ方向側）に位置する。従って、観察者は、透明基板１０側から反射型表示装置１００を観察する。透明基板１０としては、適切な強度及び透明性を有する様々な材料が用いられ、例えばガラスやポリマーなどが用いられる。
【００２５】
白色基板２０は、透明基板１０と向かい合っている。透明基板１０と白色基板２０との間には、所定の間隔（セルギャップ）が空けられている。白色基板２０としては、透明基板１０、隔壁２１及び画素３０，４０，５０を適切に支持することができ、且つ白色の様々な材料が用いられ、例えばガラスやポリマーなどが用いられる。
【００２６】
隔壁２１は、透明基板１０と白色基板２０との間に設けられている。図２（ｂ）に示すように、隔壁２１は、例えばマトリックス状のパターンを有しているが、具体的なパターンは特に限定されない。隔壁２１の材料としては、例えば、黒色の樹脂等が用いられる。
【００２７】
複数の画素３０，４０，５０は、透明基板１０と白色基板２０との間、即ち透明基板１０上に設けられ、各々が隔壁２１により形成（画成）されている。本実施形態では、図２（ｂ）に示すように、各画素３０，４０，５０は、観察者側から見て、平面視で長方形になっている。
【００２８】
例えば、画素３０は、赤色を表示可能であり、画素４０は、緑色を表示可能であり、画素５０は、青色を表示可能である。画素３０、画素４０及び画素５０は、ｘ方向に、この順に繰り返し配置されている。このように繰り返し配置された画素３０，４０，５０の組は、ｙ方向に複数組並んでいる。画素３０，４０，５０の配置順は、図示する例に限らない。
【００２９】
各画素３０，４０，５０は、第１透明電極２２と、疎水性絶縁層２３と、着色オイル２４と、親水性液体２５と、を有している。これらの材料としては、公知のエレクトロウェッティング方式の反射型表示装置に用いられるものを用いればよい。
【００３０】
第１透明電極２２は、白色基板２０上に設けられている。各画素２０，３０，４０の第１透明電極２２は、互いに電気的に絶縁されている。第１透明電極２２の材料としては、例えば、ＩＴＯを用いることができる。
疎水性絶縁層２３は、第１透明電極２２上に設けられている。
【００３１】
着色オイル２４は、疎水性絶縁層２３上に設けられている。即ち、着色オイル２４は、各画素３０，４０，５０に封入されている。着色オイル２４は、疎水性溶媒と着色材料とを含む。例えば、画素３０の着色オイル２４は赤色に着色され、画素４０の着色オイル２４は緑色に着色され、画素５０の着色オイル２４は青色に着色されている。
【００３２】
親水性液体２５は、例えば、透明な水などの可視光を透過する液体であり、着色オイル２４と透明基板１０との間に充填されている。着色オイル２４と親水性液体２５は、互いに混じり合わない。
【００３３】
反射型表示装置１００には、観察者側から環境光Ｌ１が入射する。反射型表示装置１００は、画素３０，４０，５０毎に環境光Ｌ１を反射させることにより文字や画像をカラー表示する。従って、反射型表示装置１００は、バックライトを用いる必要がない。なお、環境光Ｌ１が弱い場合に観察者側から反射型表示装置１００に光を照射するフロントライトを設けてもよい。
【００３４】
第１透明電極２２に電圧が印加されていない時には、図１に破線で示すように、着色オイル２４は疎水性絶縁層２３を覆うように各画素３０，４０，５０内に広がっている。そのため、観察者側から入射した環境光Ｌ１は着色オイル２４において反射され、着色オイル２４の色に応じた赤表示、緑表示又は青表示が行われる。
【００３５】
一方、ある画素（例えば画素３０）の第１透明電極２２に電圧が印加された時には、図１に実線で示すように、この画素３０に対応する着色オイル２４は、疎水性絶縁層２３上を隔壁２１側に移動し、隔壁２１に寄る。そのため、この画素３０の疎水性絶縁層２３の大部分には親水性液体２５が接するようになる。これにより、この画素３０においては、入射した環境光Ｌ１の大部分は白色基板２０に到達し、白色基板２０で反射されて白表示が行われる。環境光Ｌ１の一部は、隔壁２１に寄った着色オイル２４に入射する。
【００３６】
このように、着色オイル２４は、電圧変化に応じて、隔壁２１に寄った状態と、画素３０，４０，５０内に広がる状態との何れかをとることが可能になっている。これらの何れの状態においても、着色オイル２４は、疎水性絶縁層２３に接している。
【００３７】
遮光層１１は、各画素３０，４０，５０に対応する透明基板１０の内面に設けられ、着色オイル２４が隔壁２１に寄った際に、この着色オイル２４を隠す。本実施形態では、着色オイル２４は、平面視で隔壁２１が構成する長方形の所定の角部分、即ち各画素３０，４０，５０の所定の角部分に寄る。隔壁２１に寄った着色オイル２４は、平面視で扇形になっている。そのため、遮光層１１は、平面視で隔壁２１が構成する長方形の所定の角部分、即ち各画素３０，４０，５０の所定の角部分に扇形に設けられている。
【００３８】
遮光層１１は、隔壁２１に寄った着色オイル２４からの反射光Ｌ２を遮蔽して、この反射光Ｌ２を観察者側に出射させないように構成されている。また、遮光層１１は、隔壁２１に寄った着色オイル２４に向かう環境光Ｌ３を遮蔽するように構成されている。
【００３９】
遮光層１１は、例えば、ブラックマトリクス層（以下、ＢＭ層と称す）として構成されている。遮光層１１の材料としては、所望の遮光性を有するものであれば特に限定されないが、例えば、カーボンブラック、チタンブラック等の黒色着色材を含有する樹脂組成物等が挙げられる。この樹脂組成物に用いられる樹脂としては、例えば、アクリレート系、メタクリレート系、ポリ桂皮酸ビニル系、もしくは環化ゴム系等の反応性ビニル基を有する感光性樹脂が使用される。
【００４０】
遮光層１１は、感光性を有する遮光層形成用塗工液を透明基板１０上に塗布して、露光工程および現像工程を含むフォトリソグラフィー法によりパターニングすることによって形成できる。
【００４１】
このように、本実施形態によれば、着色オイル２４が隔壁２１に寄った際に、この着色オイル２４を隠す遮光層１１が設けられている。これにより、ある画素（例えば画素３０）を赤表示する場合に、この画素３０の周囲の白表示の画素４０，５０では、隔壁２１に寄った着色オイル２４からの反射光Ｌ２は、遮光層１１で遮蔽されて観察者側に届かなくなる。従って、周囲の白表示の画素４０，５０において、隔壁２１に寄った着色オイル２４に起因した緑色又は青色の微小な点が視認されないようになる。よって、赤表示されている画素３０のエッジの惚け（霞み）を抑制できる。他の画素４０，５０についても同様に、エッジの惚けを抑制できる。
【００４２】
加えて、カラー表示されている画素（例えば画素３０）の周囲において、遮光層１１が黒色の微小な点として視認される。これにより、カラー表示されている画素３０の色のコントラストを高めることもできる。他の画素４０，５０についても同様に、コントラストを高めることができる。
以上から、表示特性を改善できる。
【００４３】
なお、着色オイル２４は、黒色に着色されていてもよい。この場合には、反射型表示装置１００は、白黒表示を行うことができる。隔壁２１に寄った着色オイル２４は一様の膜厚を有していないため、遮光層１１が設けられていない場合、黒色の着色オイル２４の厚い部分が暗い（濃い）黒に視認され、薄い部分が明るい（薄い）黒に視認され、この明暗起因のエッジの惚け（霞み）が生じる。これに対して、本実施形態によれば、遮光層１１により、この惚け（霞み）を抑制できる。結果としてコントラストを高めることもできる。
また、着色オイル２４を黒色に着色する場合、親水性液体２５を赤色等に着色しても良い。この親水性液体２５の着色と着色オイル２４の黒色により、カラー表示することも可能である。
【００４４】
（第１の実施形態の変形例）
着色オイル２４が寄る位置や、隔壁２１に寄った時の着色オイル２４の形状は、第１の実施形態の例と異なっていても良い。この場合には、以下にいくつかの例を示すように、着色オイル２４が寄る位置やその形状に応じて遮光層１１を設ける位置やその形状を適宜設定すればよい。
【００４５】
図３は、第１の実施形態の第１の変形例に係る反射型表示装置１００Ａの上面図である。図３に示すように、遮光層１１Ａは、平面視で隔壁２１が構成する長方形の所定の長辺の中央付近、即ち各画素３０，４０，５０の所定の長辺の中央付近に設けられている。遮光層１１Ａは、半円形である。この例では、着色オイル２４は、遮光層１１Ａによって隠される位置に寄り、この時の着色オイル２４の形は平面視で半円形である。
【００４６】
また、遮光層１１，１１Ａの形状は、着色オイル２４が隔壁２１に寄った際に、この着色オイル２４を隠すことができれば、特に限定されない。図４は、第１の実施形態の第２の変形例に係る反射型表示装置１００Ｂの上面図である。遮光層１１Ｂが設けられる位置は、図３と同一であり、その形状が長方形である点が、図３と異なる。
【００４７】
また、図示は省略するが、例えば、着色オイル２４が画素３０，４０，５０の所定の短辺の全体に沿って隔壁２１に寄る場合には、遮光層１１，１１Ａ，１１Ｂの形状は、画素３０，４０，５０の短辺側の全体を覆う長方形であってもよい。
【００４８】
さらに、隔壁２１の形状も第１の実施形態の例と異なっていても良い。図５は、第１の実施形態の第３の変形例に係る反射型表示装置１００Ｃから前面板８０を取り除いた状態の上面図である。図５に示すように、画素３０Ａは、一方の長辺側に凹状部分３１を有し、この長辺に向かい合う他方の長辺側に、隣接する画素４０Ａ側に突出する凸状部分３２を有している。同様に、画素４０Ａは、一方の長辺側に凹状部分４１を有し、この長辺に向かい合う他方の長辺側に、隣接する画素５０Ａ側に突出する凸状部分４２を有している。同様に、画素５０Ａは、一方の長辺側に凹状部分５１を有し、この長辺に向かい合う他方の長辺側に、隣接する画素３０Ａ側に突出する凸状部分５２を有している。そして、着色オイル２４は、第１透明電極２２に電圧が印加された時には、凸状部分３２，４２，５２に収まるようになっている。そのため、本変形例では、遮光層は、画素３０Ａ，４０Ａ，５０Ａの凸状部分３２，４２，５２を覆うように設けられる（図示せず）。
【００４９】
（第２の実施形態）
第２の実施形態では、拡散層１２を更に備える点が、第１の実施形態と異なる。以下、第１の実施形態との相違点を中心に説明する。
【００５０】
図６は、第２の実施形態に係る反射型表示装置１００Ｄの概略構成を示す縦断面図である。図６に示すように、反射型表示装置１００Ｄは、透明基板１０上の各画素３０，４０，５０に対応する位置に設けられた拡散層１２を備える。拡散層１２は、遮光層１１に対応する位置には設けられていない。
透明基板１０、遮光層１１及び拡散層１２は、反射型表示装置１００Ｄ用の前面板８０Ａを構成している。
【００５１】
拡散層１２の可視光の透過率は、３５％以上であることが好ましく、より好ましくは６０％以上であり、更に好ましくは７５％以上である。
【００５２】
拡散層１２は、透明基板１０上に遮光層１１を形成した後、感光性を有する拡散層形成用塗工液を透明基板１０及び遮光層１１上に塗布して、露光工程および現像工程を含むフォトリソグラフィー法によりパターニングすることによって形成できる。拡散層形成用塗工液を塗布する方法は特に限られず、例えば、インクジェット方式を用いても良い。
【００５３】
本実施形態によれば、環境光Ｌ１の反射光は拡散層１２で拡散されるため、広い視野角の表示特性が得られる。また、遮光層１１を設けることによる輝度の低下も改善できる。また、拡散層１２は、遮光層１１に対応する位置には設けられていないため、インクジェット方式による塗布であれば、拡散層１２の材料の使用量を削減することができる。さらに、第１の実施形態の効果も得られる。
【００５４】
（第３の実施形態）
第３の実施形態では、フォトスペーサー１３を更に備える点が、第２の実施形態と異なる。以下、第２の実施形態との相違点を中心に説明する。
【００５５】
図７は、第３の実施形態に係る反射型表示装置１００Ｅの概略構成を示す縦断面図である。図７に示すように、反射型表示装置１００Ｅは、透明基板１０と隔壁２１との間に設けられた複数のフォトスペーサー１３を備える。つまり、透明基板１０は、複数のフォトスペーサー１３によって支持されている。
【００５６】
透明基板１０、遮光層１１、拡散層１２及びフォトスペーサー１３は、反射型表示装置１００Ｅ用の前面板８０Ｂを構成している。
【００５７】
図８（ａ）は、図７の前面板８０Ｂのみを観察者側から見た平面図である。図８（ｂ）は、反射型表示装置１００Ｅを観察者側から見た平面図である。図７の断面図は、図８（ａ），（ｂ）のＡ−Ａ断面に対応する。
【００５８】
図８（ａ），（ｂ）に示すように、フォトスペーサー１３は、例えば円柱状であり、隣り合うフォトスペーサー１３，１３の間に間隔を空けて設けられている。従って、フォトスペーサー１３が設けられていない位置においては、隣り合う画素の親水性液体２５が充填される領域は連続している。これにより、反射型表示装置１００Ｅを製造する際に、前面板８０Ｂと、白色基板２０と、隔壁２１と、第１透明電極２２と、疎水性絶縁層２３と、着色オイル２４とを組み立てた後で、各画素３０，４０，５０内に親水性液体２５を充填することができる。よって、製造が容易である。
【００５９】
フォトスペーサー１３を設ける位置は、図示する例に限らず、適切に透明基板１０を支持できる位置であればよい。
【００６０】
本実施形態によれば、隔壁２１の高さが不足する場合であっても、フォトスペーサー１３によって所望のセルギャップを得ることができる。また、フォトスペーサー１３の高さを調整することによって、セルギャップを容易に調整することができる。また、第２の実施形態の効果も得られる。
なお、拡散層１２を設けなくてもよい。
【００６１】
（第４の実施形態）
第４の実施形態では、拡散層１２Ａがパターニングされていない点が、第３の実施形態と異なる。以下、第３の実施形態との相違点を中心に説明する。
【００６２】
図９は、第４の実施形態に係る反射型表示装置１００Ｆの概略構成を示す縦断面図である。図９に示すように、拡散層１２Ａは、透明基板１０及び遮光層１１を覆っている。
【００６３】
透明基板１０、遮光層１１、拡散層１２Ａ及びフォトスペーサー１３は、反射型表示装置１００Ｆ用の前面板８０Ｃを構成している。
【００６４】
拡散層１２Ａは、透明基板１０上に遮光層１１を形成した後、拡散層形成用塗工液を透明基板１０及び遮光層１１上に塗布して、これを硬化させることによって形成できる。
【００６５】
このように、本実施形態によれば、拡散層１２Ａをパターニングする必要がないため、容易且つ安価に製造できる。また、第３の実施形態の効果も得られる。
なお、フォトスペーサー１３を設けなくてもよい。
【００６６】
（第５の実施形態）
第５の実施形態では、着色層６０と第２透明電極２７とを更に備える点が、第３の実施形態と異なる。以下、第３の実施形態との相違点を中心に説明する。
【００６７】
図１０は、第５の実施形態に係る反射型表示装置１００Ｇの概略構成を示す縦断面図である。図１０に示すように、反射型表示装置１００Ｇは、着色層６０と、第２透明電極２７と、を更に備える。
【００６８】
着色層６０は、透明基板１０上の各画素３０，４０，５０に対応する位置に設けられている。着色層６０は、画素３０に対応する赤色着色層６１と、画素４０に対応する緑色着色層６２と、画素５０に対応する青色着色層６３と、を有する。赤色着色層６１は、赤色光を透過させ、緑色着色層６２は、緑色光を透過させ、青色着色層６３は、青色光を透過させる。つまり、着色層６０は、カラーフィルタを構成している。
拡散層１２は、着色層６０を覆っている。拡散層１２は、遮光層１１に対応する位置には設けられていない。
【００６９】
第２透明電極２７は、透明基板１０上に設けられている。具体的には、第２透明電極２７は、遮光層１１及び拡散層１２を覆っている。各画素３０，４０，５０の第２透明電極２７は、フォトスペーサー１３が設けられていない領域で互いに接続されている。つまり、第２透明電極２７は、一体的に形成され、共通電極として機能する。この場合、ある画素の第１透明電極２２と第２透明電極２７との間に電圧が印加された時に、この画素の着色オイル２４は、隔壁２１に寄る。
【００７０】
透明基板１０、遮光層１１、拡散層１２、フォトスペーサー１３、着色層６０、及び、第２透明電極２７は、反射型表示装置１００Ｇ用の前面板８０Ｄを構成している。
【００７１】
赤色着色層６１、緑色着色層６２及び青色着色層６３のそれぞれは、感光性を有する着色層用材料を、露光工程および現像工程を含むフォトリソグラフィー法によりパターニングすることによって形成される層である。
【００７２】
着色層６０を構成する着色層用材料は、各色の顔料や染料および分散剤を含む顔料分散体、光開始剤、ポリマーやモノマーを含むクリア剤、および界面活性剤などを含んでいる。このうち光開始剤は、光を照射されることによりラジカル成分を発生するものである。またクリア剤には、光開始剤によって発生されたラジカルにより重合反応を起こして硬化する成分と、その後の現像により未露光部が溶解可能となる成分とが少なくとも含まれている。
【００７３】
本実施形態によれば、環境光Ｌ１の反射光は、着色層６０を透過するので、色再現性を高めることができる。また、第３の実施形態の効果も得られる。
【００７４】
なお、第２透明電極２７は設けなくてもよい。また、色再現性が十分であれば、着色層６０は設けなくてもよい。また、拡散層１２として、第４の実施形態の拡散層１２Ａを設けてもよい。
【００７５】
さらに、第１の実施形態の構成に、着色層６０と第２透明電極２７との少なくとも何れかを設けてもよい。
また、第２の実施形態の構成に、着色層６０と第２透明電極２７との少なくとも何れかを設けてもよい。
【００７６】
（第６の実施形態）
第６の実施形態では、遮光層１１Ｃは積層された着色層６０からなる点が、第５の実施形態と異なる。以下、第５の実施形態との相違点を中心に説明する。
【００７７】
図１１は、第６の実施形態に係る反射型表示装置１００Ｈの概略構成を示す縦断面図である。図１１に示すように、遮光層１１Ｃは、積層された複数色の着色層６０及び拡散層１２からなる。遮光層１１Ｃにおいては、透明基板１０側から、赤色着色層６１、緑色着色層６２、青色着色層６３及び拡散層１２がこの順に積層されている。着色層６０の積層順序は、これに限らない。
【００７８】
透明基板１０、遮光層１１Ｃ、拡散層１２、着色層６０、及び、第２透明電極２７は、反射型表示装置１００Ｈ用の前面板８０Ｅを構成している。
【００７９】
複数色の着色層６０を積層することにより、可視光の透過率を低減させることができるので、第５の実施形態と同様に、隔壁２１に寄った着色オイル２４からの反射光Ｌ２は、遮光層１１Ｃで遮蔽されて観察者側に届かなくなる。
【００８０】
また、着色層６０及び拡散層１２の積層数を調整することにより、遮光層１１Ｃの厚みを調整することができる。従って、遮光層１１Ｃにフォトスペーサー１３の機能も持たせることができ、セルギャップを容易に調整することができる。
【００８１】
このような前面板８０Ｅは、例えば、次のように形成できる。まず、透明基板１０上の画素３０に対応する領域と、遮光層１１Ｃを形成する領域とに赤色着色層６１を形成する。次に、透明基板１０上の画素４０に対応する領域と、遮光層１１Ｃを形成する領域の赤色着色層６１上とに、緑色着色層６２を形成する。次に、透明基板１０上の画素５０に対応する領域と、遮光層１１Ｃを形成する領域の緑色着色層６２上とに、青色着色層６３を形成する。次に、着色層６０上に拡散層１２を形成する。次に、拡散層１２上に第２透明電極２７を形成する。
【００８２】
このように、本実施形態によれば、ＢＭ層によって遮光層１１Ｃを形成する必要がなく、着色層６０の形成工程を利用して遮光層１１Ｃを形成できるので、材料や製造工程を削減できる。従って、前面板８０Ｅ及び反射型表示装置１００Ｈを安価に製造できる。また、第５の実施形態の効果も得られる。
【００８３】
なお、第２透明電極２７と拡散層１２の少なくとも何れかは設けなくてもよい。
【００８４】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８５】
１０  透明基板
１１，１１Ａ〜１１Ｃ  遮光層
１２，１２Ａ  拡散層
１３  フォトスペーサー
２０  白色基板
２１  隔壁
２２  第１透明電極
２３  疎水性絶縁層
２４  着色オイル
２５  親水性液体
２７  第２透明電極
３０，３０Ａ，４０，４０Ａ，５０，５０Ａ  画素
６０  着色層
６１  赤色着色層
６２  緑色着色層
６３  青色着色層
８０，８０Ａ〜８０Ｅ  前面板
１００，１００Ａ〜１００Ｈ  反射型表示装置
【図１】
2016126214.tif 000003
【図２】
2016126214.tif 000004
【図３】
2016126214.tif 000005
【図４】
2016126214.tif 000006
【図５】
2016126214.tif 000007
【図６】
2016126214.tif 000008
【図７】
2016126214.tif 000009
【図８】
2016126214.tif 000010
【図９】
2016126214.tif 000011
【図１０】
2016126214.tif 000012
【図１１】
2016126214.tif 000013
【図１２】
2016126214.tif 000014
【図１３】
2016126214.tif 000015